(57)【特許請求の範囲】
【請求項１】
１つのパッケージ（１）あるいは１つまたは複数の物の包装であって、前記包装が特に外側の包装シート（２、４）で構成されており、前記外側の包装シート（２、４）が特に前記包装の少なくとも１つの面上に配置された第一の開封ライン（２０、４０）で構成される開封手段を備えている場合において、閉じられているクーポンおよび／または折込物（３）が前記外側の包装シートの少なくとも１つの外面の少なくとも一部上に固定されていること、また前記クーポンおよび／または折込物（３）が、包装の開封がクーポンおよび／または折込物（３）の同時開封を引き起こすように配置された第二の開封ライン（３１）を備えていることを特徴とする包装。
【請求項２】
クーポンおよび／または折込物（３）が少なくとも１つの折り目（３２）に沿って折られた少なくとも１枚の紙で構成されていること、折り目（３２）と反対側の前記紙の部分（３２０）が閉じられていること、前記第二の開封ライン（３１）が折り目（３２）と前記反対側の閉じられた部分（３２０）との間に配置されていること、クーポンおよび／または折込物（３）が、前記第二の開封ライン（３１）が前記第一の開封ライン（２０、４０）の少なくとも一部のすぐ近くに平行して配置されるように包装上に固定されていること、前記クーポンおよび／または折込物（３）が折り目（３２）と第二の開封ライン（３１）との間に配置された第一の部分（３００）ならびに第二の開封ライン（３１）と前記反対側の閉じられた部分（３２０）との間に配置された第二の部分（３０１）を含んでいること、またクーポンおよび／または折込物（３）の前記第一の部分（３００）が包装の第一の部分（２２）に固定されているのに対して、クーポンおよび／または折込物（３）の前記第二の部分（３０１）が包装の第二の部分（２３）に固定されていることを特徴とする請求項１に記載の包装。
【請求項３】
第一の開封ラインが引き裂きストリップ（２０、４０）で構成されることを特徴とする請求項１または２に記載の包装。
【請求項４】
第一の開封ラインが第一の機械的強さの弱められているラインと、前記開封ラインに重ね合わされているとともに前記外側の包装シートの内面上に配置されている引き裂き糸とで構成されることを特徴とする請求項１または２に記載の包装。
【請求項５】
第二の開封ライン（３１）が第二の機械的強さの弱められているラインで構成されることを特徴とする請求項１から４のいずれか一項に記載の包装。
【請求項６】
第一および／または第二の強さの弱められているラインがミシン目の付いたラインで構成されることを特徴とする請求項４または５のいずれか一項に記載された包装。
【請求項７】
第一および／または第二の強さの弱められているラインが減厚されたラインで構成されることを特徴とする請求項４または５のいずれか一項に記載された包装。
【請求項８】
クーポンおよび／または折込物（３）の少なくとも一部（３００，３０１）が包装の側面上に固定されることを特徴とする請求項１から７のいずれか一項に記載の包装。
【請求項９】
クーポンおよび／または折込物（３）の一部（３００，３０１）が包装の端面上に固定されることを特徴とする請求項８に記載の包装。
【請求項１０】
クーポンおよび／または折込物（３）がクーポンおよび／または折込物の開封後に、ならびに包装の開封後にそれぞれ広げられることができる内部インサート（３４）をもつことを特徴とする請求項１から９のいずれか一項に記載の包装。
【請求項１１】
クーポンおよび／または折込物（３）が切り離し可能な内部インサート（３５）をもつことを特徴とする請求項１から１０のいずれか一項に記載の包装。
【請求項１２】
クーポンおよび／または折込物（３）の開封の発端となる第二の開封ライン（３１）の先端部を有する、包装（２、４）にぴったり張り付けられたクーポンおよび／または折込物（３）の面の少なくとも一部（３３１）が前記包装上に糊付けされることを特徴とする請求項１から１１のいずれか一項に記載の包装。
【請求項１３】
外側の包装シートで包装された物を機械を通して所定の方向に移動させること；
機械の所定の場所において物の位置を検出器で検出すること；
クーポンおよび折込物のうちの少なくとも１つを張り付けるための装置に、物が装置と対向的に配置されたときに物の位置を指し示すこと；および
前記装置を使用してクーポンおよび折込物のうちの少なくとも１つを前記外側の包装シートで包装された前記物に張り付けること、
を含むことを特徴とする請求項１に記載の包装の作成方法。
【請求項１４】
クーポンおよび折込物のうちの少なくとも１つを張り付けるための装置がクーポンおよび折込物のうちの少なくとも１つのためのディストリビュータであることを特徴とする請求項１３に記載の方法。
【請求項１５】
クーポンおよび折込物のうちの少なくとも１つを張り付けるための装置が、クーポンおよび折込物のうちの少なくとも１つが一時的に連続して固定されるサポートテープを支えている取付アームであること、また前記取付アームが前記サポートテープからクーポンおよび折込物のうちの少なくとも１つを剥し、そして前記クーポンおよび折込物のうちの少なくとも１つを前記外側の包装シートで包装された物に張り付けることを特徴とする請求項１３に記載の方法。
【請求項１６】
糊付け装置が、前記外側の包装シートへのクーポンおよび折込物のうちの少なくとも１つの張り付け前に、１つまたは複数の糊付けスポット、１つまたは複数の糊付けラインあるいは１つの糊付け表面を包装上に設けることを特徴とする請求項１５に記載の方法。
【請求項１７】
包装準備機械上において前記包装を構成するためのウェブを所定の方向に移動させること；
クーポンおよび折込物のうちの少なくとも１つを前記ウェブの対応する部分上に装置で順次張り付けること、ここで前記張り付けがクーポンおよび折込物のうちの少なくとも１つの張り付けと包装準備機械の動作との同期を確保できる制御装置によって制御されることを特徴とする請求項１に記載の包装の作成方法。
【請求項１８】
糊付け装置が、前記包装または前記ウェブへのクーポンおよび折込物のうちの少なくとも１つの張り付け前に、１つまたは複数の糊付けスポット、１つまたは複数の糊付けラインあるいは１つの糊付け表面を包装上に設けることを特徴とする請求項１７に記載の方法。
【請求項１９】
クーポンおよび折込物のうちの少なくとも１つを張り付けるための装置がクーポンおよび折込物のうちの少なくとも１つのためのディストリビュータであることを特徴とする請求項１７に記載の方法。
【請求項２０】
糊付け装置が、前記包装または前記ウェブへのクーポンおよび折込物のうちの少なくとも１つの張り付け前に、１つまたは複数の糊付けスポット、１つまたは複数の糊付けラインあるいは１つの糊付け表面を包装上に設けることを特徴とする請求項１９に記載の方法。
【請求項２１】
クーポンおよび折込物のうちの少なくとも１つを張り付けるための装置が、クーポンおよび折込物のうちの少なくとも１つが一時的に連続して固定されるサポートテープを支えている取付アームであること、また前記取付アームが前記サポートテープからクーポンおよび折込物のうちの少なくとも１つを剥し、そして前記クーポンおよび折込物のうちの少なくとも１つをウェブに張り付けることを特徴とする請求項１７に記載の方法。
【請求項２２】
糊付け装置が、前記包装または前記ウェブへのクーポンおよび折込物のうちの少なくとも１つの張り付け前に、１つまたは複数の糊付けスポット、１つまたは複数の糊付けラインあるいは１つの糊付け表面を包装上に設けることを特徴とする請求項２１に記載の方法。
【請求項２３】
請求項１から１２のいずれか一項に記載の包装を備えたタバコ産業の複数の製品パッケージを包装するカートン。
【請求項２４】
請求項１から１２のいずれか一項に記載の包装を備えたタバコ産業の製品パッケージ。
【請求項２５】
食品産業の１つまたは複数のパッケージあるいは製品を包装するためのものであることを特徴とする請求項１から１２のいずれか一項に記載の包装。
【発明の詳細な説明】
【０００１】
発明の属する技術分野
本発明は、少なくとも外面のうちのひとつに宣伝用クーポン等を備えた包装ならびにこのような包装を作ることを可能にする方法に関する。
【０００２】
従来の技術
必ずしもシガレットパッケージに限定されるわけではないが、特にシガレットパッケージにおいて、読まれるために開けられることができるクーポンを１つの面上に備えた包装が存在している。なおこのクーポンには、宣伝情報や使用法、コンテストについての指示または他のあらゆる適切な指示が掲載されている。
【０００３】
米国特許Ａ−５０３５９３５はシガレットパッケージを包んでいる透明フィルムの下に配置されたこのようなクーポンを備えたシガレットパッケージについて説明しているが、このような配置はクーポンにアクセスできるためには透明フィルムを完全に取り除く必要がある。一方、透明フィルムが必要であるため、この配置は単一層で構成されているパッケージ、すなわち外側の透明フィルムのないパッケージには適応化されることができない。提案されている諸手段の別の欠点は、シガレットパッケージとクーポンを同時に開封することができないことである。
【０００４】
欧州特許出願Ａ−０８０３４５０も、外側の透明フィルムの下にタックスクーポン（tax coupon）を備えたシガレットパッケージについて説明しているが、クーポンはシガレットパッケージにぴったりくっつくことになるフィルムシートの表面に固定されるので、透明フィルムを開けることとタックスクーポンを破ることを同時に可能にする引き裂きストリップを配置するためにはフィルムの生産時に追加工程を設ける必要がある。なお指摘しておかなければならないが、この場合、タックスクーポンはパッケージの開封後に読まれるためのものではない。
【０００５】
発明が解決しようとする課題
したがって、本発明の第一の目的は、閉じられたクーポンを少なくとも外面のうちのひとつに備えた１つまたは複数のパッケージまたは物の包装を提案することである。包装およびクーポンの開封手段は、包装の開封がクーポンの同時的開封を引き起こすようにコーディネートされる。
【０００６】
本発明の第二の目的は、このような配置が、外側の包装フィルムをもつハードタイプまたはソフトタイプの、あるいは単一厚で構成されている、すなわち外側フィルムのないソフトタイプのあらゆる種類の包装に適応化され、必ずしもシガレットパッケージに限定されるわけではないが、特にシガレットパッケージに適応化されることを可能にすることである。
【０００７】
本発明の第三の目的は、このような配置があらゆる種類のクーポンに、たとえば包装の１つの面あるいは２つの面を部分的または全面的に覆っているクーポンや、様々な形および寸法のクーポン、ありとあらゆる方法で折り畳み可能な内部インサートを収容できるクーポン、切り離し可能なインサートを収容できるクーポンなどに適応化されることを可能にすることである。
【０００８】
課題を解決するための手段
これらの様々な目的は請求項１の特徴を有する包装によって得られる。様々な実施形態または変形形態が請求項２から１２に説明されている。
【０００９】
また、本発明の別の目的はこのような包装を実施する少なくとも１つの方法を提供することである。
【００１０】
２つの異なる方法が請求項１３および１４に説明されており、複数の変形形態が請求項１５から１７に説明されている。
【００１１】
本発明による包装についての、あるいは作成方法についての複数の具体的な実施形態が以下において説明されているが、説明は添付図を参照しながら考察されるべきである。また、以下の図および説明はシガレットパッケージに関するものであるが、パッケージや包装という概念は、クーポンが説明されている方法のうちのどれかによって配置されることができるあらゆる製品のあらゆる種類の包装にまで拡大されなければならない。さらに、包装の形は図示されているような平行６面体でなくてもよい。たとえば、丸い円筒形であってもよい。
【００１２】
発明の実施の形態
図１に、好ましくは透明の材料でできたフィルム２で覆われている、たとえばハードタイプのシガレットパッケージ１が示されている。なお、フィルム２はセロハン、ポリプロピレンまたはこの目的のために通常使用される他のあらゆる材料であることができる。パッケージ１は、ここでは、その面のうちのひとつにおいてフィルム２の外側に配置されたクーポン３を備えている。クーポン３の外面３０は見ることができるとともに、ロゴや宣伝情報あるいは他のあらゆる指示を掲載することができる。パッケージ１の販売時には、クーポン３は閉じられていなければならなく、その中に書かれている情報を読むためにあるいはその中に入っている中身にアクセスするためにそれを開封することは、パッケージ１の開封時または開封後のみに可能でなければならない。クーポン３を閉じる方法については、図６Ａに関する説明の中で後ほど詳述する。
【００１３】
パッケージ１を開封するために、フィルム２は、ここでは、フィルム２に一体化されておりかつパッケージ１の側面を取り囲んでいる引き裂きストリップ２０を通常の方法で備えている。引き裂きストリップ２０の先端部は、指先でつかまえられるための引き裂きタブ２１（ここでは広げられた状態で図示されている）を備えている。クーポン３は、機械的強さがたとえば連続したミシン目によって弱められているライン３１を備えている。この強さの弱められているライン３１は主として引き裂きストリップ２０の一部に平行してかつその真向かいに配置される。また、この強さの弱められているライン３１はクーポン３を２つの部分に分ける。つまり、パッケージ１の開封後もパッケージ１上に残ることになるフィルム２の部分２２に固定されているもっとも大きな部分３００と、パッケージ１の開封時に取り除かれ捨てられるフィルム２の部分２３に固定されている第二の部分３０１とに分ける。したがって、ライン３１と引き裂きストリップ２０とが一致しているので、フィルム２の上部２３を取り除くために引き裂きストリップ２０を引っ張ることによってパッケージ１を開封する際に、同時にクーポン３が開き、ユーザーはその中に書かれている情報にアクセスすることができる。
【００１４】
図２は、クーポン３が固定されているフィルム２の下部２２をパッケージ１上に残した状態で、引き裂きストリップ２０とフィルム２の上部２３とが取り除かれる際の同じパッケージを示している。これで、パッケージ１の上部１０は通常の方法で開けられることができ、その中に入っているシガレットあるいは他の物にアクセスすることができる。同時に、先に包装が閉じられていた時にはアクセスすることができなかったクーポン３の内面または内部ページ３０２および３０３も、これで、折り目３２を中心としてクーポン３を広げることによってアクセス可能である。
【００１５】
図３は、包装４がたとえば欧州特許Ｂ−０６３３２０１に説明されているように、１枚のシートの単一層で得られるシガレットパッケージ１の別の実施形態を示している。ソフトタイプのシガレットパッケージに関するこのような包装は上述の包装のフィルム２を有していない。このような包装は引き裂きストリップ４０と引き裂きタブ４１とを備えることができる。クーポン３は、ここでは、主として丸い形で図示されているが、別の形をしていてもよいであろうが、先と同様に、開封するための折り目３２と強さの弱められているライン３１とを有する。
【００１６】
上記実施形態では、指摘されることであるが、パッケージ１の上面は、図１の実施形態についてはフィルム２の、あるいは図３の実施形態については包装素材４の折り畳まれた閉じ部を有している。面のこのような配置は、折り畳まれた層が重なり合っているため、引き裂きストリップをこの面に配置することを妨げている。しかしながら、たとえば上面または下面のようにフィルムまたは包装シートの折り返しを有するパッケージ１の面上にクーポン３を配置したいならば、パッケージ１を図４に示されているようにレイアウトすることが可能である。すなわち、引き裂きストリップ２０を上面の周囲の近くに配置するとともに、クーポン３のメイン部分３００を主として上面に固定するようにする。その一方において、部分３０１は、強さの弱められているライン３１が引き裂きストリップ２０の一部に重なり合うように側面上に折り返される。
【００１７】
また、図５はここでは２つのフラップとして開くクーポン３の別の実施形態を示している。ここで図示されているクーポン３は主としてパッケージ１の１つの面全体を覆っている。引き裂きストリップ２０は、クーポン３の縁の近くに配置されるのではなく、クーポン３が２つの向かい合ったフラップによって開くようにもっと中央寄りの位置に配置される。図に示されている例は、引き裂きストリップ２０が取り除かれることによって、クーポン３の強さの弱められているライン３１が破られ、その結果２つのフラップを開くことができたところを示している。クーポン３の２つの部分３００と３０１が等しい寸法である必要はない。つまり、前記２つの部分のうちのどちらか一方が他方よりも大きくてもよい。同様に、クーポン３は、開封ライン３１が折り曲げライン３２に平行になるように配置される必要はない。つまり、これら２つのラインを、それらが相互に或る角度をなすように配置することによって、２つのフラップが異なる形をもつようにさせることができる。捨てられることになる包装部分２３に付着している部分３０１は、たとえば部分的または全面的に容易に切り離されることができるように包装部分２３に付着していてもよいし、あるいは切り離し可能な粘着式インサート３５を収容していてもよい。また、この実施形態の変形形態によれば、クーポンの部分３００はパッケージの正面または側面に配置されるが、部分３０１は図４に示されているようにパッケージの上面に配置される。このような変形形態は上述のように単一層で構成されているソフトタイプのパッケージにとりわけ最適である。
【００１８】
図６Ａおよび図６Ｂならびに図７Ａおよび図７Ｂは、クーポン３の２つの可能な実施形態の断面図である。
【００１９】
図６Ａでは、クーポン３は折り目３２を形成している折り曲げラインを中心にして折られた紙で形成されており、折り目３２と反対側のクーポン３の部分３２０は、包装が開封されるまでクーポンを閉じた状態にしておくように、たとえばクロージング手段（たとえばスポット糊付けまたはライン糊付け３２１）によって、あるいはひだ付け（crimping）によって閉じられている。折られた紙の代わりに、２枚の紙をライン３２に沿ってならびに反対側の部分３２０にわたって接合することも可能である。強さの弱められているライン３１、たとえば紙の２つの重なり部分上に設けられるプレカットラインはここではこのクロージングライン３２１の近くに配置される。なお、この強さの弱められているライン３１はクーポン３をメイン部分３００と他の部分３０１とに分ける。パッケージ１の外から見える面３０と反対側に位置するこの接合の面は、強さの弱められているライン３１が引き裂きストリップ２０の一部と平行になるようにかつ重なり合うように、またクーポン３のメイン部分３００がパッケージ１上に後ほど残ることになるフィルム２の部分２２と重なり合うように、さらにクロージングライン３２１を有するクーポン３の他の部分３０１がパッケージ１の開封後に引き離されることになるフィルム２の部分２３と重なり合うように、フィルム２の対応する部分上にわたって少なくとも部分的に糊付けされる。フィルム２に接着されるクーポン３の面は粘着式の方が好ましいが、いくつかの接着スポットまたは接着ライン３３を設けることも可能である。クーポン３の良好な開封のためには、クーポン３の開封の発端となる強さの弱められているライン３１の先端部を有しているクーポン３の少なくとも一部３３１（図１参照）が、接着ライン３３０によって、引き裂きストリップ２０を有するフィルム２の対応する部分によく接着される必要がある。このようにすることにより、ユーザーが引き裂きストリップ２０を取り除くとき、クーポン３の対応する部分は引き裂きストリップ２０に付着したままになり、その開封が容易化される。
【００２０】
図６Ｂは同じクーポン３を示しているが、クーポン３およびフィルム２のそれぞれの開封後における状態を示している。つまり、ユーザーが引き裂きストリップ２０を取り除き、フィルム２を２つの部分２２と２３とに分けたところである。クーポン３のメイン部分３００がパッケージ１上に残るフィルム２の部分２２上に固定されたままであるのに対して、クーポン３の部分３０１はフィルム２の部分２３とともに捨てられる。強さの弱められているラインのオープニングを受けて、これで、クーポン３を折り目３２を中心として広げることによってクーポン３を開けることが可能になるとともに、クーポン３の内部ページ３０２および３０３上に書かれた情報を読むことが可能になる。
【００２１】
図５を参照して上述したように、強さの弱められているライン３１はクーポンの部分３２０の近くに配置される必要はなく、この部分と折り目３２との間のどのような場所にも配置されることができる。
【００２２】
図７Ａは別の実施形態によるクーポン３を示している。クーポン３は、第二の紙３４がたとえばアコーデオン式に折られていること、および第二の紙３４が折り目３２に近い第一の紙の面３０３の部分に接着３４０によって固定されていることを除き、先ほど説明したクーポンとほぼ同じ方法で構成されており、まったく同じ方法で固定されている。紙３４の各折られたページの長さは、これらのページが第一の紙の強さの弱められているライン３１を遮らないほどの長さである。先と同様に、パッケージおよびクーポン３の開封後は、第一の紙のページ３０２および３０３に加えて、紙３４のページ３４１〜３４６にアクセスすることが可能である。
【００２３】
変形形態として、ページ３４１〜３４６または３０２〜３０３のうちのいずれかひとつのページに粘着式インサート３５を配置することが可能である。この粘着式インサートは、集めるべきポイントであったり、コンテストへの参加票であったり、くじであったり、あるいは同種のあらゆる他のものであることができる。前記インサート３５はクーポン３が開封されるときに剥されることができる。このようなインサートは、当然のことながら、説明した第一の実施形態によるクーポンにも備えつけることができる。
【００２４】
フィルム２上に配置されたクーポン３について説明した複数の実施形態は、当然のことながら、図３の包装の実施形態におけるように包装シート４上に配置された同じクーポン３についても有効である。
【００２５】
図６Ａおよび図６Ｂならびに図７Ａおよび図７Ｂは、多数の可能性のうちから、クーポン３の２つの可能な実施形態を示している。多数の可能性としては、特にクーポン３は場合によっては図示された方法とは異なる方法によって折られたあるいは接着された２枚以上の紙で構成されることができる。各紙は先述とは異なるページ数をもつことができるし、クーポン３の構成は異なっていることができる。たとえば、クーポン３は、アコーデオン式に折り畳み可能なページではなく、小型の薄い本の形をしていてもよい。クーポン３の長さと幅の寸法は、主として、クーポン３が接着されるパッケージ１の面の寸法によって決まる。図１および図３で示されているクーポンが正面の一部を覆っているのに対して、図５に示されているクーポンは面を完全に覆っている。また、図４に示されているクーポンは２つの隣接した面を部分的に覆っている。図３が示しているところによれば、クーポンは四角形や長方形以外の異なる形をしていてもよい。強さの弱められているライン３１は適切であればどのようなタイプであってもよい。たとえば、引き裂きストリップであってもよいし、ミシン目の付いたラインであってもよいし、局部的に減厚されたラインであってもよい。好ましくは、先述のように閉じており、強さの弱められているライン３１を備えており、粘着式付着層を備えているあるいは備えていないクーポン３は、クーポンメーカーからそのまま得られ、後ほど述べるように包装上に張り付けられる。
【００２６】
包装に関しては、先に言及したように、ハードタイプまたはソフトタイプの包装であることができる。この包装は外側の保護フィルムで覆われていてもよいし、覆われていなくてもよい。また、この包装はタバコ産業のシガレット等の物を包装するためのものとは限らない。実際のところ、先の説明から分かることであるが、説明したあるいは可能な実施形態のうちのいずれかひとつによるクーポン３は、引き裂きストリップに似通った開封手段を具備したありとあらゆる種類の包装のもっとも外側の層上に配置されることができる。つまり、説明したように、タバコ産業や食品産業等の任意の商品の包装であることができる。すなわち、ここで対象となっている包装は、たとえばシガレットカートンのように、任意の形をした複数のパッケージまたは物を包装する外側の包装であることができる。説明したように働くことができる包装の可能な開閉手段は、説明したものとは多少異なっていてもよい。たとえば、引き裂きストリップ２０または４０は、引き裂きストリップについて説明した同じ方法によって包装の内側に配置された引き裂き糸に置き換えられることができる。このことは、強さの弱められているラインについてもいえる。このラインは、たとえば連続したミシン目によって得られるとともに、より一般的には、包装上の所定のラインに沿った機械的引張強さの低減、たとえば知られているありとあらゆる手段によってなされる包装シートの局部的な減厚によって得られる。
【００２７】
クーポン３を備えたこのような包装を得ることを可能にする方法については、複数の方法が想定されうる。
【００２８】
図８は説明した実施形態または変形形態のうちのいずれかひとつによってクーポンを備えた包装を得る方法の第一の例を非常に概略的に示している。この方法は、クーポン３が包装の外側に置かれるべきであるということに、したがってクーポン３が包装の完了したパッケージ１上に置かれることができるということに基づいている。
【００２９】
パッケージ１がたとえばベルトコンベヤ５０上において矢印方向に流れる機械部分５上に、クーポン３が入れられた容器５２を備えた、知られている技術のディストリビュータ５１が配置される。検出器５３、たとえばホトセルは、ディストリビュータ５１の作業半径内におけるパッケージ１の有無および位置を検出し、制御装置５４を介して、ディストリビュータ５１の動作を制御する。パッケージ１が検出されると、ディストリビュータ５１は、クーポン３の強さの弱められているラインをパッケージ１の包装のラインと一致させるように計算された位置に応じて、検出されたパッケージ１上にクーポン３をセットする。もしクーポン３の背面が粘着式であるならば、クーポン３は直接包装上に付着する。もしそうでなければ、スポット糊付け、ライン糊付けを行うまたは表面を糊付けする補足装置５５が配置される。この補足装置５５も、クーポン３の張り付け前にパッケージ１上において接着を準備するために制御装置５４によって制御される。
【００３０】
この方法の利点は、必要な機器がコンパクトで非常にシンプルな設計であること、およびパッケージ１が説明したように流れる機械５のどのような部分にでも機器を設置できることである。パッケージ１のシンプルな移送設備上に機器を設置することさえもできる。
【００３１】
図９は、説明した実施形態または変形形態のうちのいずれかひとつによってクーポンを備えた包装を得る方法の別の例をやはり非常に概略的に示している。このケースでは、クーポン３は、包装される物またはパッケージが包装される前に、包装部分上に配置される。
【００３２】
ここで示されている機械部分６は、たとえば包装を形成するためのウェブ２００から包装を準備する機械の一部である。なお、このウェブはコイル（図示せず）から巻き出される。駆動手段（やはり図示せず）は矢印方向にウェブ２００を駆動する。ロータリーカッター６１とカウンターローラー６１０によって図示されている切断手段は、包装２となるための素材を形成するために、ウェブ２００を順次切断する。ロータリーカッター６１０の動作は制御装置７５によって制御される。ウェブ２００の切断後、素材は包装２を各々構成するために知られている方法で処理される。なお、第一の強さの弱められているライン２０は一般にウェブ２００上においてすでに長手方向に設けられている。
【００３３】
上述の装置は、ここでクーポン３の取付に使用する、知られている技術の取付アーム７で補完される。取付アーム７は、クーポン３が一時的に付着するテープ７１の第一のコイル７０のサポート手段を含む。なお、クーポン３は相互に多少間隔が空けられた状態で次々にテープ７１上に配置される。取付アーム７は、クーポン３が取付アーム７の内部において知られている方法でテープ７１から剥された後に、テープ７１の巻取りを担当する第二のコイル７２のサポート手段も含む。次に、剥された各クーポン３は、ロータリーカッター６１のすぐ手前の運動中のウェブ部分２００のすぐ近くに位置する取付フィンガー７３上にエア手段等によって運ばれる。取付フィンガー７３は、ウェブ２００の幅に対して取付フィンガー７３の横位置を正確に調整することによって、クーポンの強さの弱められているライン３１がウェブ２００上に存在している第一の強さの弱められているラインの真向かいに位置するように、前記ウェブ部分２００上にクーポン３を張り付ける。この作業の際に安定した支持を提供するために、平坦な支持表面７４が前記ウェブ部分２００の反対側に設けられることができる。先と同様に、クーポン３は粘着式であることができる。あるいは、上述の糊付け手段に類似した手段がクーポン３をウェブ２００上に付着させるために使用されることができる。制御手段７５は、各クーポン３が正確に取り付けられるように、すなわちウェブ２００に沿ったクーポン３の取付位置が、包装完了時にクーポン３が位置していなければならない包装の面に対応する場所にそれぞれ一致するように、取付フィンガー７３の動作とロータリーカッター６１との同期を確保する。
【００３４】
クーポン３の取付方法のこの例は、包装を構成するのに供されるウェブ２００上にクーポン３を張り付ける方法の一例にすぎない。ウェブ２００を処理する他の装置も知られている。これらすべての他の装置も、２つの強さの弱められているラインを一直線に合わせるとともにクーポンをウェブ上に位置決めするように機械の任意の手段と同期の取られた取付アーム７を装備することができる。
【００３５】
もちろん、図８に示されているような包装済パッケージの移送設備に、図９に示されているような取付アーム７を装備することも可能である。同様に、図９に示されている、ウェブから包装を準備する設備に、図８に示されているようなディストリビュータ５１を装備することも可能である。
【００３６】
試験によって示されたところによれば、包装とクーポンの良好な同時開封を得る上で、クーポンと包装の２つの強さの弱められているラインがぴったり重なり合っていることが必ずしも必要であるわけではない。約１ｍｍほどの横位置決め公差が許容されるおよび／または好ましい。
【００３７】
実施形態はクーポン３との関係において説明したが、あらゆる形の情報提供用または装飾用折込物がクーポンの代わりにおよび／またはクーポンと組み合わせて使用されることができる。
【図面の簡単な説明】
【図１】  閉じられている状態の、本発明によるクーポンを備えた包装の第一の実施形態である。
【図２】  透明フィルムの一部が取り除かれてクーポンが開いている、図１の包装と同じ包装である。
【図３】  クーポンを備えている包装の別の実施形態である。
【図４】  クーポンを備えている包装の別の実施形態である。
【図５】  クーポンを備えている包装の別の実施形態である。
【図６】  閉じられている状態（６Ａ）および開いている状態（６Ｂ）のクーポンの第一の実施形態の横断面図である。
【図７】  閉じられている状態（７Ａ）および開いている状態（７Ｂ）のクーポンの別の実施形態の横断面図である。
【図８】  クーポンを備えている包装を得ることを可能にする第一の方法の概略図である。
【図９】  クーポンを備えている包装を得ることを可能にする別の方法の概略図である。
【符号の説明】
１  パッケージ
２  フィルム
３  クーポン
２０  引き裂きストリップ
２１  引き裂きタブ
２２  フィルムの下部
２３  フィルムの上部
３０  クーポンの外面
３１  強さの弱められているライン
３００  クーポンのメイン部分
３０１  クーポンのマイナ部分
３３０  接着ライン
【図１】
0004145013.tif 000002
【図２】
0004145013.tif 000003
【図３】
0004145013.tif 000004
【図４】
0004145013.tif 000005
【図５】
0004145013.tif 000006
【図６】
0004145013.tif 000007
【図７】
0004145013.tif 000008
【図８】
0004145013.tif 000009
【図９】
0004145013.tif 000010